【手続補正書】
【提出日】平成20年4月2日(2008.4.2)
【手続補正１】
【補正対象書類名】明細書
【補正対象項目名】特許請求の範囲
【補正方法】変更
【補正の内容】
【特許請求の範囲】
【請求項１】 ガスタービンエンジン用のタービンエンジン冷却構成部品（１３０）であって、
（ａ）円周方向の前縁（１３２）と、
（ｂ）前記前縁（１３２）から間隔を置いて配置された円周方向の後縁（１３６）と、
（ｃ）前記前縁及び後縁（１３２，１３６）に接続され、背面（２００，２０４）及び前記タービン構成部品（１３０）の前記前縁（１３２）から前記後縁（１３６）に向かう方向に移動するガスタービンエンジンのガス主流（２１０）と接触する湾曲した内側表面（２０８）を有する湾曲した基部（１９６）と、
（ｄ）前記前縁及び後縁（１３２，１３６）に接続された、１対の間隔を置いて配置される対向する軸方向側面パネル（２１４）と、
を含み、
（ｅ）前記側面パネル（２１４）の各々は、各側面パネル（２１４）の前記前縁（１３２）から前記後縁（１３６）まで縦方向に延びる、減衰スプラインシール（４０４）の端縁（４０８）を受入れることができる、下部減衰スプラインシールスロット（２４２）を有し、各下部スロット（２４２）は少なくとも底部壁面（２５６）及び上部壁面（２６４）を有し、
（ｆ）前記側面パネル（２１４）の各々は、前記下部スロット（２４２）の上方に間隔を置いて配置され、各側面パネル（２１４）の前記前縁（１３２）から前記後縁（１３６）まで縦方向に延びる、主スプラインシール（４１２）の端縁（４１６）を受入れることができる、上部主スプラインシールスロット（２４６）を有し、各上部スロット（２４６）は、少なくとも底部壁面（２６６）及び上部壁面（２７４）を有し、さらに
（ｇ）前記基部（１９６）を貫通してその前記背面（２００，２０４）から延び、前記上部スロット（２４６）の前記底部壁面（２６６）及び前記下部スロット（２４２）の前記底部壁面（２５６）の間で前記側面パネル（２１４）の少なくとも１つから前記下部スロット（２４２）中に開口する間隔を置いて配置された出口（２９２）を有する複数の冷却空気通路（２８６）と、
（ｈ）前記下部スロット（２４２）の長さ方向に沿いかつ前記上部スロット（２４６）の前記底部壁面（２６６）の下方に位置し、前記減衰シール（４０４）が前記下部スロット（２４２）中に配置されたときに、それを覆ってその上を流れる空気を受入れ、その空気流れを前記端縁（４０８）を周って前記減衰シール（４０４）の下側に通すことができる、複数の間隔を置いて配置された空気流れ経路（２８２）と、
を含む、ことを特徴とするタービンエンジン冷却構成部品（１３０）。
【請求項２】 前記複数の空気流れ経路（２８２）は、前記下部スロット（２４２）の前記底部壁面（２５６）に沿う複数の間隔を置いて配置された凹み（２８２）であることを特徴とする請求項１に記載のタービン構成部品（１３０）。
【請求項３】 前記下部スロット（２４２）の前記底部壁面（２５６）は、複数の間隔を置いて配置された交互に入れ代わる凹み（２８２）及びランド（２７８）を有し、また前記側面パネル（２１４）に開口する前記通路（２８６）の前記出口（２９２）の各々は、前記ランド（２７８）の１つの上方で前記下部スロット（２４２）中に開口することを特徴とする請求項２に記載のタービン構成部品（１３０）。
【請求項４】 
（１）両者間に間隙（４０２）を備える対向して隣接する側面パネル（２１４）を有し、前記隣接する側面パネル（２１４）の各々についての前記下部スロット（２４２）の長さ方向に沿う空気流れ経路（２８２）の間隔は、各隣接する側面パネル（２１４）に開口する前記通路（２８６）の各々の出口（２９２）が、他方の前記隣接する側面パネル（２１４）の空気流れ経路（２８２）の１つと対向するように千鳥配列にされる、請求項１の隣接する１対の前記タービン構成部品（１３０）と、
（２）前記対向して隣接する側面パネル（２１４）の間の前記間隙(４０２)中に配置され、前記端縁（４０８）の各々が、前記隣接する側面パネル（２１４）の１つの前記下部スロット（２４２）により受入れられることができるような長さ及び厚さを有する１対の間隔を置いて配置された端縁（４０８）を含む少なくとも１つの減衰スプラインシール（４０４）と、
を含み、
（３）前記少なくとも１つの減衰シール（４０４）は、各隣接する側面パネル（２１４）に開口する前記通路（２８６）の各々の前記出口（２９２）の下方に配置され、さらに（４）前記間隙（４０２）中に配置され、前記端縁（４１６）の各々が、前記隣接する側面パネル（２１４）の１つの前記上部スロット（２４６）により受入れられることができるような長さ及び厚さを有する１対の間隔を置いて配置された端縁（４１６）を含む少なくとも１つの主スプラインシール（４１２）を含む、ことを特徴とするタービンエンジン冷却部分組立体（４００）。
【請求項５】 前記減衰シール（４０４）及び主シール（４１２）の各々は、１つの連続する部片であることを特徴とする請求項４に記載のタービン部分組立体（４００）。
【請求項６】 前部高圧タービンセクション（１９０）及び後部低圧タービンセクション（１９２）を有するガスタービンエンジンの高圧及び低圧タービンセクション用の冷却シュラウドセグメント（１３０）であって、
（ａ）前記高圧タービンセクション（１９０）の前端の円周方向の前縁（１３２）と、
（ｂ）前記低圧タービンセクション（１９２）の後端の、前記前縁（１３２）から間隔を置いて配置された円周方向の後縁（１３６）と、
（ｃ）前記後縁及び前縁（１３２，１３６）に接続し、背面（２００，２０４）及び前記シュラウドセグメント（１３０）の前記前縁（１３２）から前記後縁（１３６）に向かう方向に移動するガスタービンエンジンのガス主流（２１０）と接触する湾曲した内側表面（２０８）を有する湾曲した基部（１９６）と、
（ｄ）前記前縁及び後縁（１３２，１３６）に接続された1対の間隔を置いて配置された対向する軸方向側面パネル（２１４）と、
を含み、
（ｅ）前記側面パネル（２１４）の各々は、前記側面パネル（２１４）の前記前縁（１３２）から前記後縁（１３６）まで縦方向に延びる下部減衰スプラインシールスロット（２４２）を有し、各下部スロット（２４２）は、底部壁面（２５６）、上部壁面（２６４）、並びにその端縁で前記底部及び上部壁面（２５６，２６４）に接続された側壁面（２６０）を有し、前記底部壁面（２５６）は、その長さ方向に沿う複数の間隔を置いて配置された交互に入れ代わるランド（２７８）及び凹み（２８２）を有し、（ｆ）前記側面パネル（２１４）の各々は、前記下部スロット（２４２）の上方に間隔を置いて配置され、各側面パネル（２１４）の前記前縁（１３２）から前記後縁（１３６）まで縦方向に延びる上部主スプラインシールスロット（２４６）を有し、各上部スロット（２４６）は少なくとも底部壁面（２６６）及び上部壁面（２７４）を有し、さらに（ｇ）前記基部（１９６）を貫通してその前記背面（２００，２０４）から延び、前記側面パネル（２１４）の少なくとも１つの前記下部スロット（２４２）中に、前記下部スロット（２４２）の前記底部壁面（２５６）の前記ランド（２７８）の１つの上方で開口する出口（２９２）を有する複数の冷却空気通路（２８６）を含む、ことを特徴とする冷却シュラウドセグメント（１３０）。
【請求項７】 前記上部及び下部スロット（２４６，２４２）は、各側面パネル（２１４）の前記前縁（１３２）から前記後縁（１３６）まで連続して延びることを特徴とする請求項６に記載のシュラウドセグメント（１３０）。
【請求項８】 前記シュラウドセグメント（１３０）の前記高圧タービンセクション（１９０）の前記後端から前記低圧タービンセクション（１９２）の前記前端への遷移部（２９６）辺りで前記下部スロット（２４２）中に開口する通路（２８６）が全くないことを特徴とする請求項７に記載のシュラウドセグメント（１３０）。
【請求項９】 ガスタービンエンジンの高圧及び低圧タービンセクション用のシュラウド部分組立体（４００）であって、
（ａ）１対の隣接するシュラウドセグメント（１３０）であって、その各々が、高圧インピンジメント空洞（１８４）を備える高圧タービンセクション（１９０）及び低圧インピンジメント空洞（１８９）を備える低圧タービンセクションを含み、またその各々が、
（１）前記高圧タービンセクション（１９０）の前端の円周方向の前縁（１３２）と、
（２）前記低圧タービンセクション（１９２）の後端の、前記前縁（１３２）から間隔を置いて配置された円周方向の後縁（１３６）と、
（３）前記後縁及び前縁（１３２，１３６）に接続され、背面（２００，２０４）及び前記シュラウドセグメント（１３０）の前記前縁（１３２）から前記後縁（１３６）に向かう方向に移動するガスタービンエンジンのガス主流（２１０）と接触する湾曲した内側表面（２０８）を有する湾曲した基部（１９６）と、
（４）前記前縁及び後縁（１３２，１３６）に接続された１対の間隔を置いて配置された対向する軸方向側面パネル（２１４）と、
を含み、
（５）前記側面パネル（２１４）の各々は、各側面パネル（２１４）の前記前縁（１３２）から前記後縁（１３６）まで縦方向に延びる下部減衰スプラインシールスロット（２４２）を有し、各下部スロット（２４２）は、底部壁面（２５６）、上部壁面（２６４）並びに前記底部壁面及び上部壁面（２５６，２６４）にその端縁で接続された側壁面（２６０）を有し、前記底部壁面（２５６）はその長さ方向に沿う複数の間隔を置いて配置された交互に入れ代わるランド（２７８）及び凹み（２８２）を有し、
（６）前記側面パネル（２１４）の各々は、前記下部スロット（２４２）の上方に間隔を置いて配置され、各側面パネル（２１４）の前記前縁（１３２）から前記後縁（１３６）まで縦方向に延びる上部主スプラインシールスロット（２４６）を有し、各上部スロット（２４６）は少なくとも底部壁面（２６６）及び上部壁面（２７４）を有し、さらに
（７）前記基部（１９６）を貫通してその前記背面（２００，２０４）から延び、前記側面パネル（２１４）の少なくとも１つの前記下部スロット（２４２）中に前記下部スロット（２４２）の前記底部壁面（２５６）の前記ランド（２７８）の１つの上方で開口する出口（２９２）を有する複数の冷却空気通路（２８６）を含み、
（８）前記１対のシュラウドセグメント（１３０）の前記対向して隣接する側面パネル（２１４）は、両者間に間隙(４０２)を有し、また前記隣接する側面パネル（２１４）の各々についての前記下部スロット（２４２）の前記底部壁面（２５６）中の前記ランド（２７８）及び凹み（２８２）の間隔は、前記隣接する側面パネル（２１４）の１つの前記ランド（２７８）が、他方の前記隣接する側面パネル（２１４）の前記凹み（２８２）と対向するように千鳥配列にされる、１対の隣接するシュラウドセグメント（１３０）と、
（ｂ）前記対向して隣接する側面パネル（２１４）の間の前記間隙（４０２）中に配置され、前記端縁（４０８）の各々が、前記隣接する側面パネル（２１４）の１つの前記下部スロット（２４２）により受入れられることができるような長さ及び厚さを有する１対の間隔を置いて配置された端縁（４０８）を含む少なくとも１つの減衰スプラインシール（４０４）と
を、含み、
（ｃ）前記少なくとも１つの減衰スプラインシール（４０４）は、各下部スロット（２４２）の前記底部壁面（２５６）の各ランド（２７８）の上方で各下部スロット（２４２）中に開口する前記出口（２９２）の下方に配置され、各下部スロット（２４２）の前記側壁面（２６０）に隣接する前記底部壁面（２５６）の各凹み（２８２）の少なくとも１部分が空気流れを通すことができるように、前記間隙（４０２）と前記隣接する側面パネル（２１４）の前記下部スロット(２４２)の前記底部壁面（２５６）との組合わされた幅より小さい幅を有し、さらに
（ｄ）前記間隙（４０２）中に配置され、端縁（４１６）の各々が前記隣接する側面パネル（２１４）の１つの前記上部スロット（２４６）により受入れられることができるような長さ及び厚さを有する１対の間隔を置いて配置された端縁（４１６）を含む少なくとも１つの主スプラインシール（４１２）を含み、
（ｅ）前記少なくとも１つの減衰シール（４０４）及び前記少なくとも１つの主シール（４１２）は、その間に、前記高圧インピンジメント空洞（１８４）及び前記低圧インピンジメント空洞（１８９）の圧力より低い圧力、並びに前記シュラウドセグメント（１３０）の高圧タービン及び低圧タービンセクション（１９０，１９２）の近傍の前記ガス主流（２１）の圧力より高い圧力を有する中間圧力空洞（４２４）を画定する、
ことを特徴とするシュラウド部分組立体（４００）。
【請求項１０】 前記上部及び下部スロット（２４２，２４６）は、各側面パネル（２１４）の前記前縁（１３２）から前記後縁（１３６）まで連続して延びることを特徴とする請求項９に記載のシュラウド部分組立体（４００）。